(57)【要約】      （修正有） 【課題】支柱相互を各種態様で強固に連結できると共に、支柱を損傷することなく然も容易に支柱相互を連結し得る植物栽培用の支柱相互連結具を提供する。【解決手段】直線状を呈する樹脂製の連結棒材３の両端側をなす支柱連結部分５，５の夫々に支柱挾持部６を設ける。支柱挾持部６は、支柱を嵌入させる嵌入凹部１３を有し、嵌入凹部１３に嵌入された支柱を弾性的に挾持し得るＣ字状の挾持部本体１２を具える。挾持部本体１２の支柱導入口１５の開口幅は支柱の径よりも小さい。支柱導入口１５の両端部に、ハの字状を呈するようにガイド片１１，１１を突設する。ガイド片１１，１１の先側部分は、支柱導入口の開口幅を拡大させるようにガイド片１１を外方に向けて弾性的に押し広げるための指引っ掛かり部１６とされている。【選択図】図２
0003143858.tif 000002
【実用新案登録請求の範囲】
【請求項１】
植物栽培用の支柱相互を連結する支柱相互連結具であって、全体が樹脂製であり、直線状を呈する連結棒材の両端側をなす支柱連結部分の夫々に支柱挾持部が設けられており、該支柱挾持部は、前記支柱を嵌入させる嵌入凹部を有し該嵌入凹部に嵌入された支柱を弾性的に挾持し得るＣ字状の挾持部本体を具え、該挾持部本体の支柱導入口の開口幅は前記支柱の径よりも小さく形成されると共に、該支柱導入口の両端部に、両者間の幅が先端に向けて拡大するハの字状を呈するように互いに逆方向にガイド片が突設されており、両ガイド片の先側部分は、前記支柱導入口の開口幅を拡大させるように該ガイド片を外方に向けて弾性的に押し広げるための指引っ掛かり部とされており、該指引っ掛かり部は、両ガイド片の内面が形成するＶ字状の嵌め入れ溝部に前記支柱を嵌め入れた際に、該支柱の外周面と該ガイド片の内面との接触部位の先側部分として形成されていることを特徴とする植物栽培用の支柱相互連結具。
【請求項２】
前記挾持部本体は、前記支柱連結部分の内側部と外側部の双方に設けられており、内側の挾持部本体と外側の挾持部本体は逆方向に突設されていることを特徴とする請求項１記載の植物栽培用の支柱相互連結具。
【請求項３】
直線状を呈する前記連結棒材は、上下方向板部と水平方向板部とが十字状に交差する如く一体に組み合わされた横断面十字状に形成されており、Ｃ字状の前記挾持部本体の両外側面の基端側部分に、前記水平方向板部が一体に連結されていることを特徴とする請求項１又は２記載の植物栽培用の支柱相互連結具。
【請求項４】
前記挾持部本体の前記支柱導入口の両側の縁部分の上下方向中央部位において、前記支柱の表面に当接し得る係合突部が突設されていることを特徴とする請求項１又は２記載の植物栽培用の支柱相互連結具。
【請求項５】
前記支柱挾持部は、前記支柱連結部分に、その長さ方向に所要間隔を置いて３個設けられており、３個の支柱挾持部のＣ字状の挾持部本体の内径が、該支柱連結部分の長さ方向で見て内側に存するものほど小さく形成されていることを特徴とする請求項１又は２記載の植物栽培用の支柱相互連結具。
【考案の詳細な説明】
【技術分野】
【０００１】
本考案は、植物の茎や幹を支持するために立設された支柱相互を連結するためや、植物相互間に間仕切りを形成したり植物に沿って柵状物を形成したりするために立設された支柱相互を連結するため等、植物栽培用の支柱相互を連結するのに用いる植物栽培用の支柱相互連結具に関するものである。
【背景技術】
【０００２】
本出願人は、特開平１０−５２３４４号公報で、周方向に所要間隔で立設状態に配置された３本以上の支柱相互を連結する環状の支柱連結具を提供した。該支柱連結具ａによる支柱ｂ，ｂ相互の連結は、図１７〜１９に示すように、その挾持部ｃの嵌入凹部ｄに、導入開口ｅを通して支柱ｂを嵌入させることにより行っていたが、かかる支柱連結具ａによるときは、支柱相互を安定的に連結できて植物の茎や幹の倒れ防止を図り得る植物支持装置を構成できる利点があった。
【０００３】
しかしながら該支柱連結具ａはリング状を呈するために、該支柱連結具によって支柱相互を連結するためにはその直径相当の広いスペースを要する問題があった。又、該連結部材はリング状を呈することから、これを、円周上に配置された支柱の連結に用いることはできても、直線状やジグザグ状等の円形以外の配置で立設された支柱相互を連結するためには用いることができず、支柱の立設状態が限定される問題があった。
【０００４】
又、前記支柱連結具ａによる支柱ｂ，ｂ相互の連結は、その挾持部ｃの嵌入凹部ｄに、導入開口ｅを通して支柱ｂを嵌入させることにより行っていたが、植物が大きく成長したり、実をつけた場合等に、風で植物が揺れて連結部分に捩れ変形が生じる等しても支柱が不用意に外れないようにしなければならないことから、該挾持部ｃで支柱ｂを強固に挾持させる必要があった。かかることから、該挾持部ｃは拡開抵抗を大きくせざるを得ず、該導入開口ｅが開きにくかった。そのため、導入開口ｅを通して嵌入凹部ｄ内に支柱ｂを押し込む際に該支柱ｂの表面ｆが該導入開口ｅの縁部分ｇで擦られて損傷されやすい問題があった。特に該支柱ｂが、鋼管を樹脂被覆して構成されている場合は、該樹脂が捲れ易く、その部分で錆が発生して支柱強度が劣化する問題があった。
【０００５】
【特許文献１】特開平１０−５２３４４号公報
【考案の開示】
【考案が解決しようとする課題】
【０００６】
本考案は、前記従来の問題点に鑑みて開発されたものであり、周方向に立設された支柱相互を連結するためだけでなく、直線状やジグザグ状等の円形以外の配置で立設された支柱相互を連結するためにも用いることができる等、各種の連結態様で使用し得る、植物栽培に関連して使用し得る植物栽培用の支柱相互連結具の提供を課題とするものである。
【０００７】
又、支柱を損傷することなくしかも容易に支柱を連結できる植物栽培用の支柱相互連結具の提供を課題とするものである。
【０００８】
更に、支柱の連結をより強固に行うことができると共に支柱相互をより安定的に連結し得る植物栽培用の支柱相互連結具の提供を課題とするものである。
【課題を解決するための手段】
【０００９】
前記課題を解決するため本考案は以下の手段を採用する。
即ち、本考案に係る植物栽培用の支柱相互連結具（以下支柱相互連結具という）は、植物栽培用の支柱相互を連結する支柱相互連結具であって、全体が樹脂製であり、直線状を呈する連結棒材の両端側をなす支柱連結部分の夫々に支柱挾持部が設けられている。該支柱挾持部は、前記支柱を嵌入させる嵌入凹部を有し該嵌入凹部に嵌入された支柱を弾性的に挾持し得るＣ字状の挾持部本体を具え、該挾持部本体の支柱導入口の開口幅は前記支柱の径よりも小さく形成されると共に、該支柱導入口の両端部に、両者間の幅が先端に向けて拡大するハの字状を呈するように互いに逆方向にガイド片が突設されている。そして、両ガイド片の先側部分は、前記支柱導入口の開口幅を拡大させるように該ガイド片を外方に向けて弾性的に押し広げるための指引っ掛かり部とされており、該指引っ掛かり部は、両ガイド片の内面が形成するＶ字状の嵌め入れ溝部に前記支柱を嵌め入れた際に、該支柱の外周面と該ガイド片の内面との接触部位の先側部分として形成されていることを特徴とするものである。
【００１０】
前記支柱相互連結具において、前記挾持部本体は、前記支柱連結部分の内側部と外側部の双方に設けられたものとし、内側の挾持部本体と外側の挾持部本体は逆方向に突設されたものとすることがある。
【００１１】
前記支柱相互連結具において、直線状を呈する前記連結棒材を、上下方向板部と水平方向板部とが十字状に交差する如く一体に組み合わされた横断面十字状に形成し、Ｃ字状の前記挾持部本体の両外側面の基端側部分に、前記水平方向板部が一体に連結されたものとして構成するのがよい。
【００１２】
前記支柱相互連結具において、前記挾持部本体の前記支柱導入口の両側の縁部分の上下方向中央部位において、前記支柱の表面に当接し得る係合突部を突設するのがよい。
【００１３】
前記支柱相互連結具において、前記支柱挾持部は、前記支柱連結部分に、その長さ方向に所要間隔を置いて３個設けられたものとし、３個の支持挾持部のＣ字状の挾持部本体の内径は、該支柱連結部の長さ方向で見て内側に存するものほど小さく形成するのがよい。
【考案の効果】
【００１４】
本考案は以下の如き優れた効果を奏する。
(1) 本考案の支柱相互連結具によるときは、従来のように、周方向に所要間隔で立設された３本以上の支柱相互を連結できるだけでなく、三角形や四角形等の多角形の各頂点で立設されたり、ジグザグ状や直線状等の各種の態様で立設された植物栽培用の支柱相互を連結できる。
【００１５】
(2) 又本考案の支柱相互連結具は、支柱導入口の両端部で互いに逆方向にガイド片が突設されており、該ガイド片の先側部分を、該ガイド片を外方に向けて押し広げるための指引っ掛かり部としている。
かかることから、挾持部本体で支柱を挾持する際、該指引っ掛かり部を外方に押し広げて支柱導入口を拡開させることにより、該支柱を、支柱の損傷を招くことなく嵌入凹部に嵌入させることができる。その後、該指引っ掛かり部から指を離すと該支柱導入口が前記支柱挾持部の弾性復原力によって窄まり、これにより挾持部本体で支柱を弾性的に強固に挾持でき、支柱相互を安定状態で連結できることになる。
又、挾持部本体に挾持されている支柱を取り外す際は、前記指引っ掛かり部に指を引っ掛けてガイド片を外方に向けて押し広げることにより前記支柱導入口を拡開させれば、該拡開した支柱導入口を通して支柱を、その損傷を招くことなく挾持部本体から容易に取り外すことができる。
【００１６】
(3) 特に、前記連結棒材を横断面十字状に形成し、前記挾持部本体の両外側面の基端側部分に、前記水平方向板部を一体に連結状態とするときは、該水平方向板部を、挾持部本体の拡開に抵抗するリブとして機能させることができ、支柱の連結強度を向上させることができる。
前記水平方向板部は、外側面の基端側部分に一体に連結されており、先側部分には連結されていないため、ガイド片を外方に向けて弾性的に押し広げるのは容易に行うことができながら、前記嵌入凹部に支柱が嵌入された状態における支柱の挾持力を向上させ得ることとなる。
【００１７】
(4) 挾持部本体の支柱導入口に、その両側の縁部分の上下方向中央部位において、支柱の外周面に当接し得る係合突部を突設するときは、挾持部本体による支柱の挾持力を向上させ得る。そして該係合突部は、支柱導入口の上下方向全長に亘って設けるのではなく中央部位にだけ設けるために、前記ガイド片を外方向に押し広げて支柱を前記嵌入凹部に嵌入させる際、該係合突部が支柱の外周面に点接触状態となるため、その作業を容易化し得る利点がある。
【００１８】
(5) 前記支柱連結部に、その長さ方向に所要間隔を置いて３個の支柱挾持部を設けることとし、該３個の支柱挾持部の挾持部本体の内径を、支柱連結部の長さ方向で見て内側に存するものほど小さく形成するときは、細い支柱ほど支柱相互間の間隔を小さくして連結できることとなり、支柱相互を、支柱径（支柱太さ）に適した間隔で安定状態で連結できることになる。
【実施例１】
【００１９】
図１〜４において本考案に係る植物栽培用の支柱相互連結具（以下支柱相互連結具という）１は、図４に示すように、植物栽培用の支柱２，２相互を連結するものであり、全体が合成樹脂で一体成形されている。そして、直線状を呈する連結棒材３の両端側をなす支柱連結部分５，５の夫々に支柱挾持部６，６が設けられ、該支柱挾持部６は、該支柱連結部分５に、その長さ方向に所要間隔を置いて３個設けられている。この３個の支柱挾持部６，６，６は、使用する支柱２の太さに応じられるように大中小３種類からなる。
【００２０】
前記連結棒材３は、本実施例においては図１〜２に示すように、上下方向板部７と水平方向板部９とが十字状に交差する如く一体に組み合わされた横断面十字状に形成されている。そして前記支柱挾持部６は、図２〜３に示すように、該連結棒材３の両端側をなす前記支柱連結部分５，５の内側部（支柱に向き合う同一の側部）１０に、該支柱連結部分５に内側から外側に向けて食い込む状態で一体に組み込まれている。本実施例において該連結棒材３の長さは３８０ｍｍに設定されると共に、前記上下方向板部７の幅は１２ｍｍに設定され、水平方向板部９の幅は１０ｍｍに設定されている。
【００２１】
前記大中小３種類の支柱挾持部６ａ，６ｂ，６ｃは共に同一の構成を有しており、図２〜３に示すように、ガイド片１１，１１が突設された挾持部本体１２を具えている。
【００２２】
該挾持部本体１２は、前記支柱（断面円形状を呈する）２を嵌入させる円弧面からなる嵌入凹部（軸線が上下方向）１３を有し該嵌入凹部１３に収容された支柱２を弾性的に挾持し得る横断面Ｃ字状を呈している。
【００２３】
そして、該挾持部本体１２の、Ｃ字状の開放端としての支柱導入口１５は、前記支柱２の径よりも小さく形成されており、該支柱導入口１５の両端部に前記ガイド片１１，１１が突設されている。該ガイド片１１，１１は、両者間の幅が先端に向けて拡大するハの字状を呈するように互いに逆方向に突設されており、両ガイド片１１，１１の先側部分は指引っ掛かり部１６，１６とされている。該指引っ掛かり部１６，１６は、図５に示すように、該両ガイド片１１，１１の内面１７，１７が形成するＶ字状の嵌め入れ溝部１９に前記支柱２を嵌め入れた際に生ずる、該支柱２の表面２２と該ガイド片１１の内面１７との接触部位２１の先側部分として形成されている。
【００２４】
該指引っ掛かり部１６，１６は、図６に示すように、前記ガイド片１１，１１の双方又は一方を外方に向けて弾性的に押し広げ可能とするものであり、これによって、前記嵌入凹部１３への支柱２の導入や該嵌入凹部１３からの支柱２の取り出しを容易化する。前記嵌入凹部１３に支柱２を嵌入させることによって前記挾持部本体１２が支柱２を弾性的に挾持して得られる、前記支柱挾持部６による支柱２の挾持力は、植物が大きく成長したり、更に実をつけた場合等に、風で植物が揺れて連結部分に捩れ変形が生じる等しても支柱が不用意に外れないようにしなければならないことから、該支柱挾持部６で支柱２を強固に挾持させる必要がある。そのためには、該支柱挾持部６の拡開抵抗を大きくせざるを得ず、従って、前記支柱導入口１５は開きにくく設計される。しかしそのままでは、該支柱導入口１５を通して嵌入凹部１３に支柱２を押し込む際に該支柱２の表面２２が該支柱導入口１５の縁部２３（図５）で擦られて損傷されやすいものとなる。そこで、前記指引っ掛かり部１６，１６が設けられているのである。
【００２５】
そして前記挾持部本体１２の基端側の部分２５は、図５に示すように、その上下の面２６，２７が幅広となるように厚肉に形成され、図７に示すように、該基端側の部分２５の外端２９は、前記水平方向板部９の外側の縁３０に合致させてある。そして図７に示すように、該挾持部本体１２の上下方向の厚さは前記上下方向板部７の上下幅に等しく設定されると共に、該挾持部本体１２の上面３１は上下方向板部７の上の縁３２と面一に形成され、その下面３３は上下方向板部７の下の縁３５と面一に形成されている。
【００２６】
又、図２〜３に示すように、Ｃ字状を呈する該挾持部本体１２の両外側面３６，３６の基端側部分３６ａ，３６ａに、前記水平方向板部９が一体に連結されており、該水平方向板部９が該挾持部本体１２の拡開を抑制するためのリブとして機能している。又、該挾持部本体１２の前記支柱導入口１５の両側の縁部分３７，３７には、図２〜３、図９（Ｃ）に示すように、前記嵌入凹部１３に嵌入された支柱２の表面２２（図９（Ｃ））に当接して該支柱２を嵌入凹部１３により確実に拘束するための係合突部４０，４０が突設されている。該係合突部４０は該縁部分３７，３７の全長に亘って設けられてもよいのであるが、本実施例においては、その上下方向中央部位に、点状に設けられている。
【００２７】
本実施例においては前記のように、支柱連結部分５の長さ方向に大中小３種類の大きさを有する支柱挾持部６ａ，６ｂ，６ｃが間隔を置いて設けられている。該支柱連結部分５の長さ方向で見た外端側に存する支柱挾持部６ａの内径が最大で、直径１６ｍｍの支柱２ａを弾性的に挾持し得る。又、該支柱連結部分５の長さ方向で見た内端側に存する支柱挾持部６ｃの内径が最小で、直径８ｍｍの支柱２ｃを弾性的に挾持し得る。又、該支柱連結部分５の長さ方向の中間部位に存する支柱挾持部６ｂの内径は中間の大きさで、直径１１ｍｍの支柱２ｂを弾性的に挾持し得る。そして図３に示すように、前記挾持部本体１２の幅広の上面３１又は下面３３、或いはその双方に、該挾持部本体の前記嵌入凹部１３に嵌入させる支柱の径をｍｍで示す８、１１、１６の数字４３が付されている。
【００２８】
図４（Ａ）（Ｂ）（Ｃ）は、立設された支柱２，２相互を支柱相互連結具１で連結した状態を示すものである。図４（Ａ）は、直径が１６ｍｍの支柱２ａ，２ａ相互を連結した状態を示しており、図４（Ｂ）は、直径が１１ｍｍの支柱２ｂ，２ｂ相互を連結した状態を示し、又図４（Ｃ）は、直径が８ｍｍの支柱２ｃ，２ｃ相互を連結した状態を示している。本実施例においては、内径の小さいＣ字状の挾持部本体ほどより内側に配置しているため、細くて立設状態が不安定となりやすい支柱相互を連結する場合は、間隔をより小さくして支柱相互をより安定的に連結できる。なお、連結される支柱が太い場合は、間隔を大きく設定しても支柱相互を安定的に連結できる。又図８（Ａ）（Ｂ）は、径の異なる支柱相互を連結した場合を示すものであり、図８（Ａ）は、直径が１６ｍｍの支柱２ａと直径が１１ｍｍの支柱２ｂ相互を連結した状態を示している。又図８（Ｂ）は、直径が１１ｍｍの支柱２ｂと直径が８ｍｍの支柱２ｃ相互を連結した状態を示している。
【００２９】
支柱２，２相互を連結する際は、図９（Ａ）に矢印で示すように、該支柱２を前記支柱導入口１５を通して前記嵌入凹部１３に嵌入させる。その際、例えば図６（Ａ）、図９（Ｂ）に示すように、両方の指引っ掛かり部１６，１６の内面１７，１７に親指等の指の指先４５を当てて、両方のガイド片１１，１１を外方に向けて弾性的に押し広げたり、例えば図６（Ｂ）に示すように、一方の指引っ掛かり部１６の内面１７に親指等の指の指先４５を当てて、一方のガイド片１１を、前記挾持部本体１２の弾性に逆らっ外方に向けて弾性的に押し広げることによって前記支柱導入口１５を強制的に拡開させれば、該拡開された支柱導入口１５を通して支柱２を前記嵌入凹部１３に無理なく嵌入させることができる。該支柱導入口１５が支柱２の径を越えて拡開されなくても、図９（Ｂ）に矢印で示すように、該支柱導入口１５に当てがわれた支柱２を該嵌入凹部１３に向けて押し込むことよって、鋼管を樹脂被覆してなる支柱であっても、該支柱２を、その被覆樹脂の損傷を招くことなく該嵌入凹部１３に嵌入させることができる。
【００３０】
その後、図９（Ｃ）に示すように、前記指引っ掛かり部１６から指を離すことにより、前記挾持部本体１２の弾性復元作用によって前記支柱導入口１５は当初の状態に戻り、支柱２は前記挾持部本体１２で弾性的に強固に挾持された状態となる。特に本実施例においては前記のように、前記水平方向板部９が挾持部本体１２の両外側面３６，３６の基端側部分３６ａ，３６ａに一体に連結されているため、該水平方向板部９が該挾持部本体１２の拡開に対して抵抗するリブとして機能し、該挾持部本体１２による支柱２の挾持がより強力に行われることになる。なお、前記水平方向板部９は、前記挾持部本体１２の両外側面３６，３６の先側部分３６ｂ，３６ｂ（図９（Ｃ））には連結されずに、両外側面３６，３６の基端側部分３６ａ，３６ａにのみ一体に連結されているため、前記指引っ掛かり部１６を外方に向けて押し広げるのを困難にすることなく該挾持部本体１２による支柱２の挾持がより強力に行われることになる。
【００３１】
併せて本実施例においては、前記支柱導入口１５の両側部分に係合突部４０，４０が突設されているため、該両係合突部４０，４０によって支柱導入口１５の開口幅をより小さく形成でき、従って、挾持された状態にある支柱２が挾持部本体１２から脱落するのをより一層確実に防止できることになる。なお該両係合突部４０，４０は、本実施例においては、支柱導入口１５の両側の縁部分３７，３７の上下方向中央部位で突設されており、該縁部分３７，３７の上下方向の全長に亘って突設されてはいないため、前記Ｖ字状の嵌め入れ溝部１９に嵌め入れられた支柱２が、図９（Ｂ）に示すように、該係合突部４０と点接触状態になり得る。かかることから、前記指引っ掛かり部１６を図９（Ｂ）に矢印で示すように外方向に押し広げる際、それ程大きく押し広げなくても、該支柱２は、支柱導入口１５を比較的容易に通過できることとなる。
【００３２】
逆に、該支柱相互連結具１による支柱の連結解除を行う際は、前記と同様に指引っ掛かり部１６を外方に向けて弾性的に押し広げることにより、図９（Ｄ）に矢印で示すように、拡開された支柱導入口１５を通して支柱２を嵌入凹部１３から取り外すことができる。
【００３３】
図１０は、植物を取り囲むように例えば三角形の頂点位置で立設された３本の支柱２，２，２の隣り合う支柱２，２相互を１段又は複数段で、支柱相互連結具１により連結して植物支持装置４６を構成した場合を示すものである。同図においては、１６ｍｍ径の支柱２が前記外端の支柱挾持部６ａの嵌入凹部１３に嵌入されて挾持状態とされている。
【００３４】
図１１は、ジグザグ状の配置で立設された隣り合う支柱２，２相互を、１段又は複数段で、前記支柱相互連結具１により連結して植物支持装置４６を構成した場合を示すものである。
【００３５】
又図１２は、異なる植物の境界に配置された間仕切り４７を示すものであり、例えば一直線状に支柱２を立設状態に配置すると共に、隣り合う支柱２，２相互を、前記支柱相互連結具１により連結してなる。
【００３６】
この他、前記支柱相互連結具１は、支柱２を一直線状や屈曲した線状等で立設した後、隣り合う支柱相互を前記支柱相互連結具１で連結することによって柵状物を形成する等、植物栽培の目的で立設された支柱相互を連結するために広く使用できるものである。
【実施例２】
【００３７】
本考案は、前記実施例で示したものに限定されるものでは決してなく、「実用新案登録請求の範囲」の記載内で種々の設計変更が可能であることはいうまでもない。その一例を挙げれば次のようである。
【００３８】
(1) 図１３、図１４は、前記支柱相互連結具１の内側部１０と外側部４９の双方に支柱挾持部６を設けた場合を示すものである。図１３においては、内側部１０に大中小３個の支柱挾持部６，６，６が設けられると共に、外面部４９に大小２個の支柱挾持部６，６が設けられている。又図１４においては、内側部１０と外側部４９に大小２個の支柱挾持部６，６が設けられている。
又、支柱連結部分５に支柱挾持部６を１個だけ設けることもある。この場合、連結すべき支柱の直径が小さい場合は、連結棒材３の長さを短く設定し、連結すべき支柱の直径が大きくなる程連結棒材３の長さを長く設定する。
【００３９】
(2) 前記連結棒材３は、横断面矩形状や横断面正方形状、横断面円形状等、横断面十字状以外の形態で設けられることもある。
【００４０】
(3) 図１５は、直線状を呈する連結棒材３の他の態様を示すものであり、その両端側をなす支柱連結部分５，５が、内方に向けて稍屈曲している。このように構成するときは、例えば図１６に示すように、植物を取り囲むように三角形の頂点位置で立設された３本の支柱２，２，２の隣り合う支柱２，２相互を、支柱相互連結具１により連結する場合、２本の支柱相互連結具１，１の端部分５，５が形成する三角形の頂点部分に稍丸みをつけることができ、頂点部分が鋭角状になるものに比し植物支持装置４６を柔らかみのある外観に仕上げることができる。
【図面の簡単な説明】
【００４１】
【図１】本考案に係る支柱相互連結具を示す斜視図である。
【図２】その部分拡大図である。
【図３】その部分拡大平面図である。
【図４】本考案に係る支柱相互連結具の使用状態を示す斜視図である。
【図５】指引っ掛かり部の構成を説明する平面図である。
【図６】指引っ掛かり部を外方に向けて弾性的に押し広げた状態を示す平面図である。
【図７】連結棒材の構成と支柱挾持部の構成を説明する断面図である。
【図８】支柱相互連結具の他の使用状態を示す斜視図である。
【図９】支柱相互を連結する作業工程を説明する平面図である。
【図１０】三角形の頂点位置で立設された３本の支柱を支柱相互連結具で連結して構成された植物支持装置を示す斜視図である。
【図１１】ジグザグ状の配置で立設された支柱相互を支柱相互連結具により連結して構成された植物支持装置を示す斜視図である。
【図１２】支柱相互を支柱相互連結具により連結して構成された間仕切りを示す斜視図である。
【図１３】支柱相互連結具の他の実施例を示す平面図である。
【図１４】支柱相互連結具のその他の実施例を示す平面図である。
【図１５】支柱相互連結具の他の態様を示す平面図である。
【図１６】その支柱相互連結具を用いて、三角形の頂点位置で立設された支柱相互を連結して構成された植物支持装置を示す平面図である。
【図１７】円周上に配置された４本の支柱を円環状の支柱連結具で連結して構成された従来の植物支持装置を示す正面図である。
【図１８】その断面図である。
【図１９】その支柱連結具が有する挾持部の嵌入凹部に支柱を嵌入させる作業工程と、該嵌入凹部に支柱を嵌入させた状態を示す平面図である。
【符号の説明】
【００４２】
１  支柱相互連結具
２  支柱
３  連結棒材
５  支柱連結部分
６  支柱挾持部
７  上下方向板部
９  水平方向板部
１０  支柱連結部分の内側部
１１  ガイド片
１２  挾持部本体
１３  嵌入凹部
１５  支柱導入口
１６  指引っ掛かり部
１７  ガイド片の内面
１９  嵌め入れ溝部
２０  支柱の外周面
２１  接触部位
４０  係合突部
４５  指先
【図１】
0003143858.tif 000003
【図２】
0003143858.tif 000004
【図３】
0003143858.tif 000005
【図４】
0003143858.tif 000006
【図５】
0003143858.tif 000007
【図６】
0003143858.tif 000008
【図７】
0003143858.tif 000009
【図８】
0003143858.tif 000010
【図９】
0003143858.tif 000011
【図１０】
0003143858.tif 000012
【図１１】
0003143858.tif 000013
【図１２】
0003143858.tif 000014
【図１３】
0003143858.tif 000015
【図１４】
0003143858.tif 000016
【図１５】
0003143858.tif 000017
【図１６】
0003143858.tif 000018
【図１７】
0003143858.tif 000019
【図１８】
0003143858.tif 000020
【図１９】
0003143858.tif 000021